(57)【要約】      （修正有）【課題】突っ張り力の低下が発生しても突っ張り固定状態の変化が起こりにくい突っ張り装置を提供する。【解決手段】突っ張り材１、調整材２および連結材３の３つの骨組み部材と骨組材を連結する連結用ネジ４Ａ、４Ｂおよび既存の突っ張り装置５よりなる。２つの被圧着面の間に調整材を連結材から出入りさせて、装置の全長を被圧着面の間隔にほぼ等しく調整し、調整材と連結材を連結用ネジで固定する。突っ張り材と連結材を連結用ネジで固定することにより突っ張り固定状態にある装置の全長を固定する。【選択図】図１
0003178185.tif 000002
【実用新案登録請求の範囲】
【請求項１】
突っ張りの対象となる設置面である被圧着面の２面の間隔に合わせて長さ調整し被圧着面に突っ張り固定しその突っ張り固定状態を別の手段で固定する装置で
（イ）  構成部材の１つは角形の棒材である突っ張り材である。突っ張り材の１方の端口は（ハ）の連結材に挿入され（ホ）の突っ張り装置に接する。もう１方の端口は突っ張りの対象となる設置面である片側の被圧着面に接する。
（ロ）  構成部材の１つは長さ調整用の角形の棒材である調整材である。調整材は突っ張り材と同一の端口を有する。調整材の１方の端口は突っ張り材と反対方向から（ハ）の連結材に挿入される。もう１方の端口は突っ張り材と反対側の被圧着面に接する。
（ハ）  構成部材の１つは角形の同形の板材である２個の連結材である。２個の連結材は間隔をあけて向かい合い幅面の４隅近辺に付けられた貫通穴を通る（ニ）の連結用ネジにより連結されている。連結材はその長さ方向の両端部から挿入された突っ張り材および調整材を間に挟み（ニ）の連結用ネジを締めて連結材の間隔を狭め圧着することにより連結材と突っ張り材および連結材と調整材を別々に随意の位置で固定する。連結材の内側面には長さ方向に全長にわたり溝がついている。この溝に突っ張り材および調整材がはめ込まれ連結材から横ぶれすることなく円滑に出入りする。連結材の溝には突っ張り装置を設置するための突っ張り台がついている。突っ張り台は向かい合う２個の連結材の溝の対象位置についた出っ張りである。
（ニ）  構成部材の１つは２個の連結材を連結する連結用ネジである。連結用ネジはオネジとオネジにかみ合うメネジによってなる合計４組のネジである。オネジとメネジの間に２個の連結材を挟み、手回しできるオネジまたはメネジを回転させて連結材を外側から圧迫して連結材の間隔を自由に調整する。
（ホ）  構成部材の１つは既存のネジ式の突っ張り装置である。突っ張り装置は突っ張り台と突っ張り材の間に設置される。ネジ式の突っ張り装置はオネジとメネジがかみ合いオネジまたはメネジを回転させてオネジとメネジの全体長を伸ばすことにより突っ張り力を発生させる。突っ張り装置の２つの外面は外に向かって圧迫力を加える押し出し面であり、押し出し面の１方は２個の突っ張り台に接しもう１方は突っ張り材の端口に接する。
以上のように構成され突っ張り対象となる被圧着面の２面の間に装置をおき、調整材を連結材から出入りさせて装置の全長を被圧着面の間隔にほぼ等しくなるように調整し連結材と調整材を連結用ネジで固定し、突っ張り装置を働かせて装置の全長を更に伸ばすことにより突っ張り固定し、連結材と突っ張り材とを連結用ネジで固定することにより突っ張り固定状態にある装置の全長を固定する装置。
【請求項２】
請求項１の構成部材の内、（ホ）のネジ式の突っ張り装置のみ圧縮したバネの反発力により突っ張り力を発生させる既存のバネ式の突っ張り装置に換えた装置で、突っ張り対象となる被圧着面の２面の間に装置をおき、突っ張り固定するために充分な反発力がえられるまで突っ張り装置のバネを圧縮したときの装置の全長が被圧着面の間隔に等しくなるように調整材を連結材から出入りさせて調整し連結材と調整材を連結用ネジで固定し、更に連結材と突っ張り材とを連結用ネジで固定することにより突っ張り固定状態にある装置の全長を固定する装置。
【考案の詳細な説明】
【技術分野】
【０００１】本考案は突っ張り固定状態を別の手段で固定する突っ張り装置に関する。
【背景技術】
【０００２】本考案は突っ張り固定状態を別の手段で固定する突っ張り装置に関する。突っ張り装置は突っ張りの対象となる設置面である床と天井または壁と壁等の２つの面である被圧着面の間に装置をおき、被圧着面を突っ張り力で圧迫して固定する。突っ張り装置にはネジ式とバネ式とがある。ネジ式はオネジとメネジのかみ合せよりなりオネジとメネジの全体長を伸ばすことにより突っ張り力を発生させる。バネ式はバネを圧縮させその反発力を利用して突っ張り力を発生させる。従来の突っ張り装置はネジのゆるみやバネの反発力の低下があると突っ張り力が低下するという弱点を有する。
【考案が解決しようとする課題】
【０００３】本考案の課題は、突っ張り力の低下が発生しても突っ張り固定状態の変化が起こりにくい突っ張り装置を提供するところにある。
【考案が解決するための手段】
【０００４】上記の課題を解決するために本考案は既存の突っ張り装置を使用して突っ張り固定し、その突っ張り固定状態にある装置の全長を別の手段で固定する。突っ張り固定状態にある装置の全長を突っ張り装置とは別の手段で固定すれば突っ張り力が低下しても突っ張り固定状態は維持できる。本考案はＡ、Ｂ、Ｃの３つの骨組み部材と骨組部材を連結するための連結用ネジおよび突っ張り力を発生する装置である既存の突っ張り装置よりなる。骨組み部材Ａは角形の棒材である突っ張り材である。突っ張り材の１方の端口は骨組み部材Ｃの連結材に挿入され連結材の内側で突っ張り装置に接する。もう１方の端口は突っ張り対象となる片側の設置面である被圧着面に接する。骨組み部材Ｂは長さ調整用の角形の棒材である調整材である。調整材は突っ張り材と同一の端口を有する。調整材の１方の端口は突っ張り材と反対方向からＣの連結材に挿入される。もう１方の端口は突っ張り材と反対側の設置面である被圧着面に接する。骨組部材Ｃは角形の同形の板材である２個の連結材である。２個の連結材は間隔をあけて向かい合い幅面の４隅近辺に付けられた貫通穴を通る連結用ネジにより連結されている。貫通穴および連結用ネジの個数はより強固な固定が必要な場合は増やすことができる。貫通穴は溝の両側の幅面の縁の近くについており貫通穴を通るネジは突っ張り材および調整材と接触しない。貫通穴は少なくとも連結材の調整材側端部および突っ張り材側の端部に合計４個ついている。連結材はその長さ方向の両端部に挿入された突っ張り材および調整材を間に挟み連結用ネジを締めて連結材の間隔を狭めることにより連結材と突っ張り材および連結材と調整材を別々に随意の位置で圧着固定する。連結材の内側面には長さ方向に全長にわたり溝がついている。この溝にそって突っ張り材および調整材は移動するので横ぶれしない。連結材の溝には突っ張り装置の突っ張り力を受け止める突っ張り台がついている。突っ張り台は向かい合う２個の連結材の溝の対象位置についた出っ張りである。骨組部材を連結する連結用ネジはオネジとオネジにかみ合うメネジよりなりどちらか１方または両方が蝶ネジ、蝶ナットのように手回しできる。連結用ネジは連結板についた各貫通穴を貫通し少なくとも合計４個である。貫通穴にオネジを貫通させてオネジの末端をメネジにかみ合せオネジの頭部とメネジの間に連結材を挟み、オネジまたはメネジを回転させて連結材を外側から圧迫して連結材の間隔を自由に調整する。既存の突っ張り装置はネジ式とバネ式とがある。ネジ式の突っ張り装置はオネジとメネジがかみ合いオネジまたはメネジを回転させてオネジとメネジの全体長を伸ばすことにより突っ張り力を発生させる。バネ式の突っ張り装置は圧縮バネの反発力を利用して突っ張り力を生み出す。突っ張り装置は突っ張り台と突っ張り材の間に設置される。突っ張り装置は外に向かって圧迫力を加える２つの押し出し面をもつ。押し出し面の１方は２個の突っ張り台に接しもう１方は突っ張り材の端口に接する。以上の部材を次のように組立てたのが本考案である。突っ張り装置を連結材の端部から内側の溝にそって挿入し突っ張り装置の押し出し面の１方の面が２個の突っ張り台に同時に接するように設置する。つぎに同じ連結材の端部から連結材の内側の溝にそって突っ張り材を挿入する。突っ張り材の端部が突っ張りのもう１方の押し出し面に接するところまで挿入する。そして連結材の反対側の端部から連結材の内側の溝にそって調整材を挿入する。次ぎに連結用ネジを締めて連結材の間隔を突っ張り材および調整材ががたつくことなくスムーズに連結材の溝にそって出入りできるように調整する。突っ張り装置がネジ式の場合の使い方は、突っ張りの対象面である２つの被圧着面の間に本考案をおき被圧着面の間隔にほぼ等しくなるまで調整材を連結材の外に向かって伸ばす。そして調整材側の連結材の端部近辺についた２個の連結用ネジを締めて連結材と調整材を固定する。つぎに突っ張り装置のオネジまたはメネジを回転させて突っ張り装置の全長を伸ばし突っ張り材の端口と連結材に固定された突っ張り台を反対方向に押し広げる。突っ張り装置の全長を伸ばすことにより突っ張り力を発生させて本考案を被圧着面の間に突っ張り固定させる。最後に突っ張り材側の連結材の端部近辺についた２個の連結用ネジを締めて連結材と突っ張り材とを固定する。突っ張り装置がバネ式の場合の使い方は、突っ張りの対象面である２つの被圧着面の間に本考案をおき被圧着面の間隔にほぼ等しくなるまで調整材を連結材の外に向かって伸ばす。調整材を更に外に向かって伸ばすと被圧着面の間隔を越える長さ分だけ突っ張り装置のバネが圧縮される。圧縮されたバネの反発力が充分な突っ張り力を発生させるところまで調整材を伸ばす。そしてまず調整材側の連結材の端部近辺にある２個の連結用ネジを締めて調整材と連結材とを固定する。つぎに突っ張り材側の連結材の端部近辺についた２個の連結用ネジを締めて連結材と突っ張り材とを固定する。以上のとおり突っ張り固定状態にある本考案の全長が突っ張り装置とは別の連結用ネジという手段で固定される。
【考案の効果】
【０００５】このように本考案の突っ張り固定状態を別の手段で固定する突っ張り装置は突っ張り力の低下が発生しても突っ張り固定状態の変化が起こりにくい。
【図面の簡単な説明】
【０００６】
【図１】実施例１の正面図である。
【図２】実施例１の右側面図である。
【図３】実施例１の平面図である。
【図４】実施例２の正面図である。
【図５】実施例２の右側面図である。
【考案を実施するための形態】
【０００７】本考案は既存の突っ張り装置を利用して突っ張り固定し、その突っ張り固定状態にある装置の全長を連結用ネジという別の手段で固定する。本考案は３つの骨組み部材と骨組部材を連結するための連結用ネジおよび既存の突っ張り装置よりなる。
【実施例１】
【０００８】本考案の実施例について図面を参照しながら説明する。
実施例１は天地の方向にある被圧着面に対してネジ式の突っ張り装置を使用する場合の本考案の実施例である。図１は正面図、図２は右側面図、図３は平面図である。まず突っ張りの対象面である２つの被圧着面の間にネジ式突っ張り装置を使用し３つの骨組み材を連結した本考案をおき被圧着面の間隔にほぼ等しくなるまで調整材２を連結材３の外に向かって伸ばす。そして調整材側の連結材の端部近辺についた２個の連結用ネジ４Ａの手回しネジを締めて連結材と調整材を固定する。つぎに突っ張り装置５のオネジまたはメネジを回転させて突っ張り装置の全長を伸ばし突っ張り材の端口と連結材に固定された突っ張り台を反対方向に押し広げる。突っ張り装置の全長を伸ばすことにより突っ張り力を発生させて本考案を被圧着面の間に突っ張り固定させる。最後に突っ張り材１側の連結材の端部近辺についた２個の連結用ネジ４Ｂを締めて連結材と突っ張り材とを固定する。このように突っ張り固定状態にある本考案の全長が固定される。突っ張り材と調整材は連結材の内側の溝６にそって出入りする。突っ張り装置は突っ張り台７と突っ張り材の端口の間に設置される。
【実施例２】
【０００９】  実施例２は天地の方向にある被圧着面に対してバネ式の突っ張り装置を使用する本考案の実施例である。図４は正面図、図５は右側面図、平面図は図３と同一である。突っ張りの対象面である２つの被圧着面の間にバネ式突っ張り装置を使用し３つの骨組み材を連結した本考案をおき被圧着面の間隔にほぼ等しくなるまで調整材を連結材の外に向かって伸ばす。突っ張り材１の１方の端口は片側の被圧着面に接し反対側の調整材２の１方の端口は反対側の被圧着面に接する。この状態から更に調整材を連結材から外に伸ばすとその変化は突っ張り装置のバネが圧縮することによって吸収される。バネが圧縮されその反発力によって充分な突っ張り力が発生するところまで連結材を外に伸ばす。その状態で調整材側の連結材の端部近辺についた連結用ネジ４Ａを締めて連結材と調整材を固定する。最後に突っ張り材側の連結材の端部近辺についた連結用ネジ４Ｂを締めて連結材と突っ張り材とを固定する。
【産業上の利用可能性】
【００１０】突っ張り力が低下しても突っ張り固定状態が変化しにくい突っ張り装置を必要とする用途に利用できる。
【符号の説明】
【００１０】１            突っ張り材（Ａ）
２            調整材（Ｂ）
３            連結材（Ｃ）
４Ａ          調整材側の連結用ネジ（貫通穴）
４Ｂ          突っ張り材側の連結用ネジ（貫通穴）
５            既存の突っ張り装置
６            連結材の内側の溝
７            突っ張り台
【図１】
0003178185.tif 000003
【図２】
0003178185.tif 000004
【図３】
0003178185.tif 000005
【図４】
0003178185.tif 000006
【図５】
0003178185.tif 000007